(57)【要約】【課題】  端面と前後面とがあるさまざまな厚さの構造物や物品の端部や角部に、工具や固着部材を使わないで固定装置を固定できれば、保持対象物を保持したり、移動対象物を移動したり、前記固定装置にさまざまな機能部材を、必要に応じて取り付け、取り替えて利用できます。端部や角部に容易に着脱できる固定装置の構造が課題です。【解決手段】  端面と前後面とがある構造物や物品の端部や角部で、端面と一方の前後面とに接触できる面を有し、断面略Ｌ字形状の固定部品と、変形自在な線部材とで構成する固定装置であれば、前記線部材に張力を掛けて他方の前後面側で固定して厚みを挟みつけて、工具や固定部材を使わないで固定することができ、さまざまな厚さは自由度の大きい線部材で対応できます。【選択図】      図３
2007275555.tif 000002
【特許請求の範囲】
【請求項１】
端面と前後面とがある構造物や物品の端部に、変形自在な線部材(Fx)で固定部品を固定する端部固定装置(XE)であって、前記固定装置は、端面と一方の前後面とに接触できる面を有し、前記線部材を固定または引っ掛ける穴または切欠きがある断面略Ｌ字形状の固定部品(Xf)(Xr)と、前記線部材（Fx)とからなる構成で、
一つの前記断面略Ｌ字形状の固定部品(Xr)を、端面と一方の前後面とに接触させて、前記穴または切欠きに前記線部材(Fx)を固定して端面上を通し、他方の前後面側で保持対象物または連結保持部品または他の固定部品など、簡易固定できる場所に固定して、前記固定部品(Xf)(Xr)と線部材(Fx)を固定する構造の固定装置(XE)。
【請求項２】
端面と前後面と角部とがある物品の角部に、変形自在な線部材(Fx)で固定部品を固定する角部固定装置(XN)で、前記固定装置は直角な二端面と一方の前後面とに接触できる面を有し、前記線部材を固定または引っかける穴または切欠きがある、断面略Ｌ字形状の固定部品(Xn)と、前記線部材(Fx)とからなる構成で、
一つの前記断面略Ｌ字形状の固定部品(Xn)を、直角な二端面と一方の前後面とに接触させて、一端を固定した前記線部材(Fx)を前記穴または切欠きに引っかけて、端面上を通し、一方の前後面側で角部を斜めに横切り、直角な位置にある前記穴または切欠きに前記線部材(Fx)を引っかけて、端面上を通し、
前記固定部品(Xn)を直角な二端面に押しつけるように張力をかけて、他方の前後面側で他の固定部品または保持部品など簡易固定できる場所に固定して、前記固定部品(Xn)と線部材(Fx)とを固定する構造の固定装置(XN)。
【発明の詳細な説明】
【技術分野】
【０００１】
本発明は、端面と前後面とがある構造物や直方体の物品の端部に、また、端面と前後面と角部がある移動したり保持したりする対象物の角部に、容易に取り付けたり外したりができる、変形自在な線部材を利用した固定装置に関します。
【背景技術】
【０００２】
従来から、ドアやパーティションなど上端面と前後面がある構造物の上端部は、一時的な重量支持に利用されていました。Ｓ字形状やフック付きの逆Ｕ字形状を上端部にかぶせて、掛け紐を掛けて対象物を支持していました。着脱は手軽ですが、構造物に固定されていないために地震や衝撃で外れやすく、左右には動きやすく、かぶせられる以上の厚さの構造物には対応できず、見映えがよくありません。
また前記構造物の厚さに合わせる調整機構があるフック付きの固定装置を上端部にかぶせて、前記構造物の前後面を挟みつけた状態で工具を使ったりネジで固定して、フックに掛け紐を掛けていました。前記固定装置は調整できる範囲内の厚さの構造物にしか使えませんし、前記フックの高さ位置に自由度はありません。[特許文献１]は、ドアの上端部に二つの脚片をかぶせて、前後からネジで調整して固定する支持装置です。
【０００３】
販売店などでは、箱に入った商品を前面だけ見せて陳列するのに、箱に傷を付けないよう、棚や床に立てかけた状態で陳列しています。倒れやすく、汚れやすい陳列手段です。箱のまま店内や倉庫に置く場合、床面や棚に横置きで積み上げています。積み上げられた最下端の一つを取り出すためには、上方の複数個を取り除く面倒があります。箱に入ったままで吊り下げられたら便利です。
【０００４】
小売店などで手提げ袋に入らない商品を購入すると、上下に複数の紐を掛けて簡易手提げを付けてくれます。重量物や大きい場合は、手提げがあっても提げて移動するのは困難です。スーツケースやキャリーバッグには、手提げや、ショルダー掛けや、キャスターなど、状況にあわせて選べる機能部材が常設されています。使わない機能部品は、常設ではなく必要なときだけあれば十分です。
【０００５】
[特許文献２]は、端面と前後面とがあるドアやパーティションなどの構造物の端部に、端部固定装置で連結線部材を固定して、装着位置で壁掛装置を連結固定し、保持対象物の角部に固定した角部固定装置に、掛け紐など機能部材を固定して、保持対象物を保持する壁掛装置です。
本発明は、前記端部固定装置と角部固定装置が、壁掛装置だけに限らず他の分野でも利用できるので、角部も含めた端面と前後面とがある構造物や対象物に容易に固定できる固定装置の構造と使い方に関してです。
【０００６】
参照した特許文献
【特許文献１】特開平８−１４０８２０：「支持装置」
【特許文献２】実用新案登録第３１２６１４８号：「壁掛装置の部品構成」
【発明の開示】
【発明が解決しようとする課題】
【０００７】
端面と前後面とがある構造物や保持対象物の端部に、工具や固着部材を使わないで前後面を挟みつけて、左右に動いたり上方に抜けないよう固定でき、前記構造物や保持対象物の厚さに制限がなく、調整機構もない、端部固定装置の構造が課題です。
【０００８】
外箱や商品に傷を付けないで、箱に入ったまま商品の前面だけ見せて鉛直面に掛けられれば便利です。また、スーツケースやキャリーバッグのように、キャスターやショルダーなどが常設されているのでなく、さまざまな厚さ寸法の対象物の角部に、必要なときだけ保持や移動に必要な機能部材を、工具を使わないで容易に取り付けたり外したりできれば便利です。さまざまな大きさや厚さの外箱に固定部品を固定できる固定装置の構造が課題です。
【課題を解決するための手段】
【０００９】
端面と前後面とがある構造物や物品の端部や角部で、端面と一方の前後面とに接触できる面を有し、断面略Ｌ字形状の固定部品と、変形自在な線部材(Fx)とで構成する固定装置であれば、前記線部材に張力を掛けて他方の前後面側で固定して厚みを挟みつけて、工具や固定部材を使わないで固定することができ、さまざまな厚さは自由度の大きい線部材の長さの差で対応できます。
【００１０】
端面と前後面とがあるドアやパーティションなどの構造物や構造材、また略直方体形状の物品などの端部に、変形自在な線部材(Fx)で固定部品を固定する端部固定装置(XE)で、前記固定装置は端面と一方の前後面とに接触できる面を有し、前記線部材(Fx)を固定または引っ掛ける穴または切欠きがある断面略Ｌ字形状の固定部品(Xf)・(Xr)と、前記線部材(Fx)とからなる構成で、前記固定部品と前記線部材(Fx)を端部に固定する固定装置です。
一つの前記断面略Ｌ字形状の固定部品(Xr)を、端面と一方の前後面とに接触させて、前記穴または切欠きに前記線部材(Fx)を固定して、端面上を通し、他方の前後面側で保持対象物または連結保持部品または他の固定部品など、簡易固定できる場所に前記線部材の他端を張力をかけて固定して、前記固定部品と線部材を固定する構造の固定装置です。
【００１１】
従来技術のネジや圧入を利用して、前後面を挟みつけたり固定したりする構造と違い、線部材の張力で前後面を挟みつけて、端面部に前記固定部品(Xr)と線部材(Fx)を固定していますので、工具などを使わないで、構造物に傷跡や接着剤をつけないで固定できます。
【００１２】
端部固定装置の構成例を[図１]で説明します。端部固定装置(XE)は、変形自在な線部材(Fx)と、端面と一方の前後面とに接触できる面を有し、前記線部材(Fx)を固定する穴または切欠きが、ある断面略Ｌ字形状の固定部品(Xr)と、端面と他方の前後面とに接触できる面を有し、前記線部材(Fx)を引っ掛ける穴または切欠きがある、断面略Ｌ字形状の固定部品(Xf)とからなる構成で、前記固定部品(Xf)・(Xr)と前記線部材(Fx)を、端部に固定する固定装置です。
張力だけで固定できますが、地震などでも確実に固定し続けるために、[図１−１]に示すように、固定部品(Xf)・(Xr)の一部を重ねて、固定部品(Xr)の上方への抜け留めとする構造が有効です。前記重ね部分は、固定部品(Xf)・(Xr)と一体でなくても差し支えありません。
【００１３】
線部材(Fx)の引き回し例を[図１−２]に矢印で示します。前記固定部品(Xr)の上端部に線部材(Fx)の一端を固定して、構造物などの上端部を通り、他の前後面側に垂れて、連結線部材(FH)として、装着位置で張力をかけて固定されます。張力で二つの略Ｌ字部品(Xf)と(Xr)との間隔は縮み、[図１−１]の実装状態側面図のように挟みつけて、上端部に固定されます。
【００１４】
本発明の端部固定装置(XE)の構成は、保持対象物や装着場所の条件に合わせて作成しやすい簡単な断面略Ｌ字形状です。特別な調整機構がなくて、構造物の端部に線部材だけで固定できます。動く構造物であるドアに軽量な対象物を掛けて、位置決め固定ができない場合でも、側端面にも前記端部固定装置を配置すれば、ドアの開閉でもぶらぶらせずに、希望位置で前後左右に傾かない装着状態が保持できます。
【００１５】
端面と前後面と角部とがある物品の角部に、変形自在な線部材(Fx)で固定部品を固定する角部固定装置(XN)で、前記固定装置は直角な二端面と一方の前後面とに接触できる面を有し、前記線部材を固定または引っ掛ける穴または切欠きがある、断面略Ｌ字形状の固定部品(Xn)と、前記線部材(Fx)とからなる構成で、前記固定部品(Xn)と前記線部材(Fx)を、端部に固定する固定装置(XN)です。
一つの前記断面略Ｌ字形状の固定部品(Xn)を、直角な二端面と一方の前後面とに接触させて、一端を固定した前記線部材(Fx)を、前記穴または切欠きに引っかけて端面上を通します。一方の前後面側で角部を斜めに横切り、直角な位置にある前記穴または切欠きに前記線部材(Fx)を引っかけて端面上を通します。
前記固定部品(Xn)を直角な二端面に押しつけるように張力をかけて、縛るという自由度の大きい固定手段を有する線部材(Fx)で、他方の前後面側で、他の固定部品または保持部品または前記線部材の一端など、簡易固定できる場所に固定して、前記固定部品(Xn)と線部材(Fx)とを角部に固定する構造の固定装置(XN)です。
【００１６】
従来は外さないのを前提に、使われない機能部材でも、ネジを用いて強固に固着していましたが、本発明の課題は、容易に着脱できて、必要な機能部材を必要なときに取り付けられる構造なので、線部材(Fx)の張力で前後面を挟みつけて、角部に固定部品(Xn)と線部材(Fx)を固定していますので、工具などを使わないで、構造物に傷跡や接着剤をつけないで固定できます。
【００１７】
四角に取りつけた角部固定装置の構成例を[図２]で説明します。角部固定装置(XN)は、変形自在な線部材(Fx)と、直角な二端面と一方の前後面とに接触できる面を有する固定部品(Xn)とで構成され、通常は前記線部材(Fx)を共通にした二組以上の固定装置がセットで使われます。
一つの角部で、前記断面略Ｌ字形状の固定部品(Xn)を、直角な二端面と一方の前後面とに接触させて、一端を固定した前記線部材(Fx)を、前記穴または切欠きに引っかけて端面上を通します。一方の前後面側で角部を斜めに横切り、直角な位置にある前記穴または切欠きに前記線部材(Fx)を引っかけて端面上を通します。
対角位置にある角部に、もう一つの前記断面略Ｌ字形状の固定部品(Xn)を直角な二端面と一方の前後面とに接触させて、前記線部材(Fx)を前記穴または切欠きに引っかけて端面上を通します。一方の前後面側で角部を斜めに横切り、直角な位置にある前記穴または切欠きに前記線部材(Fx)を引っかけて端面上を通します。再び他方の前後面側で他の固定部品または保持部品など簡易固定できる場所に固定して、前記線部材は最初の固定場所に戻ります。
他の対角位置も同様に前記固定部品(Xn)を配置して、前記線部材(Fx)で固定して、四角に前記固定部品(Xn)を固定します。前記固定部品(Xn)に必要な機能部品や線部材を固着してあれば、対象物を保持したり、移動したりできます。
【００１８】
本発明の角部固定装置(XN)の構成は、保持対象物や移動対象物の使用場所の条件に合わせた構造も作成しやすい、簡単な断面略Ｌ字形状です。固着部材を使わないで、構造物の角部に線部材(Fx)だけで固定できます。特に移動対象物の場合は、さまざまな移動に使う機能部品を持っていれば、必要な場所で、最適な機能部品を選ぶことができます。
【発明の効果】
【００１９】
本発明の端部固定装置(XE)や角部固定装置(XN)は、変形自在な線部材(Fx)に張力をかけて、前後面を挟みつけて端部や角部に固定しますので、厚さに合わせる調整機構が不要です。厚さに制限もなく、工具や固着部材を使わないで容易に端部や角部に機能部材を取り付け、取り外しができます。
【００２０】
本発明の端部固定装置(XE)は、前後面の一方と端面に接触できる面がある固定部品(Xr)と(Xf)、変形自在な線部材(Fx)との構成で、前後面を前記線部材で挟みつけて左右に動いたり上方に抜けないように固定しますので、端部の厚さに合わせる調整機構が必要なく、工具や固着部材を使わないで、さまざまな厚さの構造物に対応できます。また前記線部材(Xn)で、高さ位置も自由に設定できます。
【００２１】
本発明の角部固定装置(XN)は、直角な角部の二端面に接触できる面がある固定部品(Xn)と、変形自在な線部材(Fx)とで構成され、前記線部材を引き回して前記二端面に押し付けるように引っ張って固定しますので、壁掛装置の部品を外箱に固定すれば、外箱や商品に傷を付けないで、箱入りのまま商品を掛けられます。
箱入りのまま商品を掛けられれば、床や棚に積み上げたり、床や棚に立てかけて陳列したりせずに済みますので、床の掃除もやりやすく、棚からいつ落下するかの不安もなく、棚がなくても空間を有効に利用でき、積み上げたり立てかけたりでは困難であった、奥の一つを取り出すことも容易です。
【００２２】
本発明の角部固定装置(XN)は、移動対象物である略直方体の箱の中に、取替え用のさまざまな機能部材を持っていれば、必要な場所で最適な機能部品を選び、付け替えることができます。同じ大きさでも、重量物の場合は車輪を付けて、空箱や軽い内容物の場合は、手持にするなど、必要に応じて選ぶことができます。
【発明を実施するための最良の形態】
【００２３】
本発明の端部固定装置(XE)と角部固定装置(XN)を利用して、外箱に入ったまま蓋を後ろにまわして前面を見せた額縁(Ｏbj)を、パーティション(Ｐtt)の装着位置に、前後左右に傾かないで装着できる壁掛装置を、[図３]で説明します。構成要素は、端部固定装置(XE)と、連結線部材(FH)と、第一保持部品(RH)と、間隔保持部材(SH)と、二つの角部固定装置(XN)と、額縁に付く端部固定装置(XE)と、第二保持部品(JS)とです。
【００２４】
パーティション(Ｐtt)の上端部に、連結線部材(FH)の一端を端部固定装置(XE)で固定して、下方の装着位置に、第一保持部品(RH)を抜け留め固定して、さらに間隔保持部材(SH)を吊り下げた構成の装着面に、上端部に配置した端部固定装置(XE)と、下端部に配置した二つの角部固定装置(XN)とを、線部材(Fx)で張力をかけて固定して、前記端部固定装置にビス止め固定した第二保持部品(JS)を掛ける構造の壁掛装置です。
[図３−１]はパーティション(Ｐtt)の上端部に固定された端部固定装置(XE)の側面図と正面図、[図３−２]はパーティションの装着面側に抜け留め固定された第一保持部品(RH)と吊り下げられた間隔保持部材(SH)の側面図、[図３−３]は保持対象物(Ｏbj)の上端部の端部固定装置に固着した第二保持部品(JS)と、下端部の角部固定部品(XN)と、線部材(Fx)の引き回し側面図、[図３−４]は端部固定装置(XE)と二つの角部固定装置(XN)と間隔保持部材(SH)との配置構成を正面から見た図です。
【００２５】
装着面側は、パーティション(Ｐtt)の上端部に、前後面とそれぞれ接触する二つの断面略Ｌ字部品(Xf)・(Xr)と、下方に垂れて連結線部材(FH)となる固定用線部材(Fx)とで構成される端部固定装置(XE)で、前記線部材(Fx)の一端を固定します。下方の装着位置では、前記連結線部材(FH)に第一保持部品(RH)を連結固定して、装着面に細ピン(PN)で抜け留め固定します。さらに間隔保持部材(SH)を吊り下げます。パーティションには、ピン以外の傷や接着剤は付きません。
保持対象物側は、[図３−３]の側面図に示しているように、上端部に配置した端部固定装置(XE)と、下端部に配置した二つの角部固定装置(XN)とを、固定線部材(Fx)で張力をかけて固定して、前記端部固定装置(XE)にビス止め固定した第二保持部品(JS)で、前記第一保持部品に掛けて保持します。前記第一保持部品(RH)と第二保持部品(JS)は、二部品構成の壁掛装置の部品で、下方の間隔保持部材(SH)とで、前後左右に傾かない状態を保持するように設定されています。
【００２６】
[図３−１]を見ながら、固定線部材(Fx)の引き回し方を説明します。端部固定装置(XE)の後面側固定部品(Xr)の上端折れ曲がり部に、連結線部材(FH)となる線部材(Fx)の一端を固定します。前記線部材(Fx)は前面側固定部品(Xf)の上部を通り、前面側固定部品(Xf)の前面溝に入り、パーティション(Ｐtt)の装着面に沿って垂れます。パーティションの装着位置で第一保持部品(RH)を連結固定し、張力をかけた状態で、パーティションに抜け留め固定します。
張力をかければ、二つの固定部品(Xr)と(Xf)とを近づける方向と、二つの固定部品を端面に押しつける方向の力が働き、パーティションの前後面と端面に二つの固定部品が押し付けられます。押し付けられた状態で固定しますので、摩擦力により、地震や衝撃でも外れにくくなり、額縁(Ｏbj)の重量を支持します。重量を支持する力も前述の固定部品を押しつける方向の力ですが、重量により力の大きさはさまざまです。
【００２７】
[図３−４]を見ながら、額縁側の固定線部材(Fx)の引き回し方を説明します。端部固定装置(XE)の前面側部品(Xr)の上端折れ曲がり部に、端部が固定部品(Xf)の外部になる長さを残して、二本の固定線部材(Fx)をかけます。前記線部材(Fx)は、後面側固定部品(Xf)の上部を通り、後面側固定部品(Xf)の中央溝に入り、長い方は額縁の下端左右に配置された角部固定装置の部品(Xn)の額縁の下辺側切欠きにかけます。
前記線部材(Fx)は、角部固定装置の部品(Xn)の下辺側切欠きから下辺の外側を通り、前面に出て、角部を斜めによぎり、額縁の側辺側に出て、側辺の外側を通り、側辺側切欠きから上端中央の端部固定装置の方向へ戻ります。残された前記線部材(Fx)の一端がありますので、張力をかけて結んで角部固定装置と端部固定装置を額縁に固定します。固定装置の部品に線部材を固定する手段を設けておけば、結ばなくても張力をかけて固定できます。
前記端部固定装置(XE)に第二保持部品(JS)をビス止めすれば、壁掛装置として機能します。前記第一保持部品(RH)に第二保持部品(JS)を掛けて保持します。下方の間隔保持部材(SH)の厚さ設定で、前後に傾かない状態を保持でき、前記第二保持部品(JS)を上辺中央に位置させることで、左右に傾かない状態を保持できます。
【００２８】
額縁は外箱に入れて保管したり移動したりしますが、一時的に展示する場合はさまざまな大きさの外箱を保管しておいて展示後同じ外箱に戻さねばならず、面倒な作業でした。本発明の端部固定装置(XE)や角部固定装置(XN)を活用すれば、外箱に入れたまま展示できますので、外箱の保管場所や組み合わせ作業の必要がなく、パーティションや額縁に傷や接着材を付けないで済みます。
本実施の形態は、端面と前後面とがあるパーティションに保持対象物を保持する場合ですが、端面と前後面とがない壁面でも、壁面と間隔をあけて横木を固着して、端面と前後面とがある構造材を上方に設置しておけば、同じ効果が得られます。
【実施例１】
【００２９】
略直方体の移動対象物の四角に厚みを挟みつけるように角部固定装置を配置し、下端面の四つの固定部品(Xn)に車輪を付けて移動できるようにした、移動対象物の実施例について、[図４]で説明します。
固定装置の構成部材は、八個の固定部品(Xn)と、二本の固定線部材(Fx)とです。下端面側に配置される固定部品(Xn)には、あらかじめ車輪を付けておきます。
【００３０】
[図４]を見ながら、固定線部材(Fx)の引き回し方を説明します。角部固定装置部品(Xn)の一方の面側上辺に配置される一つの側辺側切欠きに、端部が固定部品(Xn)の外部になる長さを残して、固定線部材(Fx)をかけます。
前記線部材(Fx)は、一面側固定部品(Xn)の側辺外側を通り、他面側固定部品(Xn)の側辺側切欠きに入り、他方の面に出て斜めによぎり、上辺側の切欠きに入り、上辺上部を通り、一面側固定部品(Xn)の上辺側切欠きに入って、対角位置にある一面側固定部品(Xn)の下辺側切欠きに向かいます。
前記線部材(Fx)は、一面側固定部品(Xn)の下辺側切欠きから下辺外側を通り、他面側固定部品(Xn)の下辺側切欠きに入り、他方の面に出て斜めによぎり、側辺側の切欠きに入り、側辺外側を通り、一面側固定部品(Xn)の側辺側切欠きに入って、出発した対角位置にある一面側固定部品(Xn)の側辺側切欠きに向かいます。
残された前記線部材(Fx)の一端がありますので、張力をかけて結んで対角位置にある角部固定装置の二つの部品(Xn)を移動対象物に固定します。同様手順で、他の対角位置の固定部品も固定すれば、二本の線部材で、八個の固定装置の部品が固定できます。固定装置の部品に線部材を固定する手段を設けておけば、結ばなくても張力をかけて固定できます。
【００３１】
下辺の固定部品(Xn)に車輪が付いていれば台車がなくても転がせますし、段差のある所では昇降手段の車輪をつけることもできますし、上辺の固定部品(Xn)にショルダーや掛け紐が付いていれば、肩に掛けたり、一時的に掛けて保持することもできます。容易に取り替えができる固定装置は、さまざまな分野で利用できます。
【産業上の利用可能性】
【００３２】
本発明の端部固定装置は、端面と前後面がある部分であれば、工具や固着部材を使わないで取り付け取り外しができますので、壁掛装置に限らず、室内外で、また一時的な保持や、組み立て部材としてもさまざまな分野で利用できます。
本発明の角部固定装置は、線部材に張力をかけて、角部の厚みを挟みつけて固定しますので、厚さや大きさに合わせる必要がなく、工具や固着部材を使わないで必要な機能部材を容易に取り付けたり取り外したりできますので、旅行先や買物店にあれば、必要に応じて活用できます。
【図面の簡単な説明】
【００３３】
【図１】端部固定装置(XE)構成図[１]  端部固定装置(XE)の平面図と正面図と側面図[２]  端部固定装置(XE)に用いる線部材(Fx)の引き回し方
【図２】角部固定装置(XN)構成図[１]  角部固定装置(XN)の側面図[２]  角部固定装置(XN)の正面図
【図３】端部固定装置(XE)と角部固定装置(XN)を利用した壁掛装置[１]  パーティション(Ｐtt)の上端に固定した端部固定装置(XE)の側面図と正面図[２]  パーティションに抜け留め固定した保持装置(RH)と吊下げた間隔保持部材(SH)[３]  保持対象物(Ｏbj)に固定装置(XE)(XN)で保持部材(JS)を固定した壁掛装置の側面図[４]  保持対象物に固定装置(XE)(XN)で保持部材(JS)を固定した壁掛装置の正面図
【図４】角部固定装置(XN)でキャスターを取り付けた簡易移動装置付き移動対象物[１]  角部固定装置(XN)でキャスターを付けた簡易移動装置付き移動対象物の側面図[２]  角部固定装置(XN)でキャスターを付けた簡易移動装置付き移動対象物の正面図
【符号の説明】
【００３４】
Ｃsr：車輪(キャスター)
FH：上方で一端を固定されたワイヤや紐など連結線部材
Fx：端部固定装置または角部固定装置を固定する線部材
JS：ネジ止めされる第二保持部品
Ｏbj：保持対象物または移動対象物
PN：ピン
Ｐtt：前後面と上端面とがあるパーティションなど構造材
RH：上方で一端を固定された連結線部材(FH)に連結固定する第一保持部品
SH：吊り下げた間隔保持部材
XE：端部固定装置
Xf：端部固定装置の前面側にある断面略Ｌ字部品
XN：角部固定装置
Xn：保持対象物または移動対象物の角部に付く断面略Ｌ字部品
Xr：端部固定装置の後面(線部材を固定する)側にある断面略Ｌ字部品
【図１】
2007275555.tif 000003
【図２】
2007275555.tif 000004
【図３】
2007275555.tif 000005
【図４】
2007275555.tif 000006